【手続補正書】
【提出日】平成24年4月22日(2012.4.22)
【手続補正１】
【補正対象書類名】特許請求の範囲
【補正対象項目名】全文
【補正方法】変更
【補正の内容】
【特許請求の範囲】
【請求項１】
機体底部に加湿装置Ａが装備され、該加湿装置Ａには、本体内部に装備した電気式加熱装置よりの温風が供給されるとともに、加湿フィルター３が内装されている加湿室２と、前記水タンク10より給水されるところの、貯水室1とが形成されている、加湿装置付き電気ストーブにおいて、
前記貯水室1に、タンク頭部空間に位置して、受水溝４を形成し、前記貯水室1の周辺部寄りに位置して、第１水路溝５を形成し、
前記貯水室1の加湿室2寄りに、第２水路溝６を形成し、
貯水室1において、加湿室２と受水溝4とを、第１水路溝5および第２水路溝6を介して連通したことを特徴とする加湿装置付き電気ストーブ
【請求項２】
機体底部に加湿装置Ａが装備され、該加湿装置Ａには、本体内部に装備した電気式加熱装置よりの温風が供給されるとともに、加湿フィルター３が内装されている加湿室２と、前記水タンク10より給水されるところの、貯水室1とが形成されている、加湿装置付き電気ストーブにおいて、
前記貯水室1に、水タンク１０の下方に位置する受水溝４を有するタンクキャップの収納空間1Ａの周囲を包囲する隔壁12を設けて、前記貯水室1を二分し、
水タンク頭部の下方に位置して受水溝４を有する第1貯水室1Ａと、加湿室２寄りに位置する第２貯水室1Ｂとを形成した
ことを特徴とする加湿装置付き電気ストーブ。
【手続補正２】
【補正対象書類名】明細書
【補正対象項目名】全文
【補正方法】変更
【補正の内容】
【発明の詳細な説明】
【発明の名称】加湿装置付き電気ストーブ
【技術分野】
【０００１】
本願発明は、電気ストーブにおける加湿装置に関するものである。より詳しくは、
本体前面を開口し、発熱体およびガード部材を内装して、本体前面の開口前方を暖房エリヤとするとともに、本体底部に加湿装置を装備した電気ストーブに関するものである。
【背景技術】
【０００２】
この種の電気ストーブの加湿装置として、本願出願人の出願である特開２００９-２７６０１２号(特許文献１)「加湿器付き電気ストーブ」が存在する。
上記の加湿器付き電気ストーブにおいて,機体底部に、水タンク１０の下方に位置して、加湿水受け室(貯水室)1’および加水室(加湿室)2’が形成された加湿装置が装備されている。加水室(加湿室)2’の底部には、加湿水受け室(貯水室)1’の上方の水タンク１０より給水されて、常時加湿用の水が満たされている。
【先行技術文献】
【特許文献】
【０００３】
【特許文献１】特開２００９-２７６０１２号「加湿器付き電気ストーブ」
【発明の開示】
【発明が解決しようとする課題】
【０００４】
前記の公知技術において、機体ガ傾斜した場合に、加湿装置の加水室(加湿室)および加湿水受け室(貯水室)の水面が、機体の一部寄りに偏位することで、加水室への給水異常を生じる問題点がある。すなわち、加水室(加湿室)側へ傾斜した場合には、加水室(加湿室)への給水が供給過剰となり、加湿水受け室(貯水室)の水タンク下方の水位が低下して、水タンクの吐出口に空隙が発生して、水タン内へ空気が浸入して、異常給水状態となり、加湿ケースの端縁より漏水を生じて床面を汚染するおそれがある。
【０００５】
よって、本発明は、機体が許容範囲で傾斜状態においても、加水室の水位を許容範囲に維持すべく給水することを課題とする。
【課題を解決するための手段】
【０００６】
本願発明は、機体底部に加湿装置Ａが装備され、該加湿装置Ａには、本体内部に装備した電気式加熱装置よりの温風が供給されるとともに、加湿フィルター３が内装されている加湿室２と、前記水タンク10より給水されるところの、貯水室1とが形成されている、加湿装置付き電気ストーブにおいて、
前記貯水室1に、タンク頭部空間に位置して、受水溝４を形成し、前記貯水室1の周辺部寄りに位置して、第１水路溝５を形成し、
前記貯水室1の加湿室2寄りに、第２水路溝６を形成し、貯水室1において、加湿室２と受水溝4とを、第１水路溝5および第２水路溝6を介して連通したことを特徴とする。
【０００７】
削除
【発明の効果】
【０００８】
本願発明は、機体の許容範囲の傾斜状態に対して、貯水室の受水溝の水位を維持とすることにより、自動式給水機構の作動不良を防ぐとともに、加湿室の急激な水位変化を阻止することで、漏水を防ぐとともに加湿装置を正常に運転することができる効果を有する。
【図面の簡単な説明】
【０００９】
【図１】本願発明の実施例を示す、加湿装置の平面図。
【図２】同じく平面視長手方向の横断面図。
【図３】同じく縦断面図。
【図４】同じく部分拡大縦断面図。
【図５】図２のＡ-Ａ線による縦断面図。
【図６】図２のＢ-Ｂ線による縦断面図。
【図７】図２のＣ-Ｃ線による縦断面図。
【図８】本願発明の前記加湿装置に、電気ストーブ本体の水タンクおよび加湿温風吹出しケースを付加して示す、斜視図。
【図９】本願発明の作用状態を示す図３同様の縦断面図。
【図１０】先願発明の加湿装置付き電気ストーブを示す、縦断面図。
【図１１】同じく部分拡大縦断面図。
【図１２】同じく加湿温風発生機構の分解斜視図。
【図１３】同じく加湿温風の発生状態を説明する、図９同様の縦断面図。
【発明を実施するための最良の形態】
【００１０】
本発明の実施例の説明に先立って、図10ないし図13を参照して、先願発明の電気ストーブを説明する。
【００１１】
Ｂは、発熱体(パネルヒータ)21を内装した電気ストーブで、機体前面を開口してガード部材2２を内装して、本体前面の開口前方を暖房エリヤとする。発熱体21と機体背面板2３との間に遮熱板24を設ける。
【００１２】
機体背面板22と遮熱板24とにより、集熱ダクト25を形成して、集熱ダクト25の内部空間を、加熱室Ｈの背面側に隣接する第２加熱室Ｈ2を形成する。
【００１３】
集熱ダクト25の頂面開口により、第２加熱室Ｈ2は加熱室Ｈと連通している。
【００１４】
集熱ダクト25の上方および加熱室Ｈの上方には機体頂面板2６を位置させるが、遮熱誘導板27を、機体頂面板2６の下方、加熱室Ｈ内に設けて、機体天面の過熱を防止するとともに、加熱室Ｈ内より第２加熱室Ｈ2内へ温風K1を誘導する。
【００１５】
集熱ダクト25の下部に底面開口2５ｂを形成し、電動ファン2９を介して、第２加熱室Ｈ2を加湿装置Ａ’に連通させる。
【００１６】
電動ファン2９および水タンク１０の上方を覆う背面カバー2８を機体頂面板2６に延設する。
【００１７】
加湿装置Ａ’は、加湿フィルター(保水部材)3’を内装した加水室(加湿室)2’を有する加湿ケース１４で構成する。
【００１８】
加湿ケース１４には、加水室(加湿室)2’の片面(入力側)に温風受け室１５を、他面(出口側)に加湿温風出口室１６をそれぞれ連設している。また、加湿ケース１４の一部(温風受け側)に、水タンク１０の下方に位置して、加湿水受け室(貯水室)１’が形成されている。
【００１９】
加湿水受け室(貯水室)１’および加水室(加湿室)2’には、加湿ケースの底面に保水シート１７が内装され、水タンク１０より給水されて、加水室(加湿室)2’の底面には、常時加湿用の水が満たされている。よって、保水シート１７に底面が接触している加湿フィルター(保水部材)3’には、常時、加湿用の水が供給されている。
【００２０】
水タンクを、逆直立壜状（ペットポトル状）の筒体で構成し、加湿ケースの底面に内装した保水シートに筒体の頭部先端開口を接当させ、保水シートを介して加水室の保水部材に毛細管現象により水タンクの加湿水を供給する自動式給水タンクを構成している。
【００２１】
加湿ケース１1の加湿温風出口室１６の上面に加湿温風吹出しケース１８を戴置して、加湿温風吹出しケース１８の加湿温風室Ｈ3を加湿温風出口室１６に連通させる。加湿温風吹出しケース１８は、機体底部に位置して装着され、その加湿温風吹出し口１９は、機体前面底部に位置している。
【００２２】
電気ストーブBの運転にあたり、第２加熱室Ｈ２は遮熱板24を介して発熱体(ヒーター)21により加熱される。
【００２３】
図12を参照して、電動ファン2９により吸引されて第２加熱室Ｈ２を降下する空気は加熱されつつ降下して、加熱空気K1が、加湿装置Ａ‘の加湿ケースの加水室(加湿室)2’を通過して、加水室(加湿室)2’の加湿フィルター(保水部材)3’に加熱空気K1が供給される。
【００２４】
加水室(加湿室)2’の加湿フィルター(保水部材)3には、水タンク１０より、常時、加湿用の水が毛細管現象で供給されている。
【００２５】
加湿フィルター(保水部材)3’を通過した加熱空気K1は、加湿温風K２となって加湿温風吹出しケース１８の加湿温風室Ｈ3に供給される結果、加湿温風吹出しケース１８の加湿温風室Ｈ3より、加湿温風K2を室内へ吹き出すことで、暖房室内の床面近傍に向け、加湿温風を供給する。
【００２６】
以下、図1ないし図７を参照して、本願発明を説明する。
【００２７】
本願発明は、先願発明では、水タンク10を、機体背面部に装備しているが、本願発明は機体側部に装備して、加湿フィルター３が内装されている加湿室2を機体一側寄り(左側)に、水タンクより給水されるところの貯水室1を機体他側寄り(右側)に配置するとともに、前述の先願発明の機体底部の加湿装置Ａの構造を下記のとおりに変更する。
【００２８】
貯水室1に、水タンク１０の下方に位置して、タンクキャップの収納空間の周囲を包囲するタンク頭部収容空間を形成する。
【００２９】
前記タンク頭部収容空間には、水タンク10の蓋キャップ10Aを収容自在とするが、その中心部に、蓋キャップ10Aの弁機構10Ｂと接当するための突起9を形成するとともに、前記突起9を包囲する受水溝 (環状溝)4を形成する。
【００３０】
前記貯水室1に、タンク頭部容空間に位置して、前記受水溝4を形成するとともに、周辺部寄りに位置して、第１水路溝５を形成し、受水溝4と第１水路溝５とを、連通水路７を介して連通する。
【００３１】
前記貯水室1の加湿室2寄り（中央寄り）に位置して、第２水路溝６を形成する。第２水路溝６の一端は、窓Qを介して第１水路溝５と連通し、他端は、窓Pを介して加湿室２に連通する。
【００３２】
貯水室1に、水タンク１０の下方に位置して、タンクキャップの収納空間の周囲を包囲する隔壁12を設けることで、貯水室1を二分して、第1貯水室1Ａと、加湿室２寄りに位置する第２貯水室1Ｂとを形成する。
【００３３】
よって、第1貯水室の受水溝４と加湿室２とは、連通水路７、第１水路溝５および第２水路溝６を介して連通する。
【００３４】
実施例においては、貯水検知室１１を設ける。
該貯水検知室１１は、前後方向に機体前面側に位置して、加湿室2と隣接し、貯水室１側に位置している。
【００３５】
貯水検知室１１は、第１水路溝５の延長水路５ａに連通して、第１貯水室1Ａの受水溝４と連通し、フロート11aを装備して、受水溝４の水位を検知する。
【００３６】
前記隔壁12と、加湿用水検知室１1の周壁の一部(隔壁12の延長部)１２Aと、加湿ケース１４の周壁の一部14aにより、タンク頭部収容空間を包囲する。
【００３７】
加湿ケース１４の後方に後面板２０を一体形成し、後面板２０引出しにより、加湿装置Aを電気ストーブ本体より、取出し自在とする。
【００３８】
加湿装置Aは、加湿室２に挿入自在とする加湿ユニットCを有し、加湿ユニットCには、加湿フィルター３、送風受け室１５および温風出口室１６とを有する。
【００３９】
図８を参照して、機体本体の右側に装備した水タンク10より貯水室1に給水されて、受入水溝4には設定水位レベルの給水が維持されている。
加湿ユニットCの加湿フィルター３には、貯水室1より窓Pを通して給水され、常時。必要な水分が供給されている。
【００４０】
送風受け室１５には、機体本体の電動ファン（図示省略）より加熱空気K1が供給され、該加熱空気K1は、送風受け室１５より加湿フィルター３を通過したのち、水分が付加されて、加湿温風K2となって、温風出口室１６より、加湿温風吹出しケース１８より、流出する。
【００４１】
よって、加湿フィルター3を通過した加熱空気K1は、加湿温風K２となって加湿温風吹出しケース１８に供給される結果、加湿温風K2を室内へ吹き出すことで、暖房室内の床面近傍に向け、加湿温風を供給する。
【００４２】
本願発明においては、機体が加湿室側へ傾斜した状態でも、第１貯水室の環状溝の水位は、一定範囲に維持されている。
【００４３】
機体が加湿室側へ傾斜した状態[機体右側（水タンク11側）が高い状態]を示す図９を参照して、第１貯水室の環状溝の水位Ｌ4(および貯水検知室１１の水位L11、第１貯水室1Aの水位L1A)は、加湿室2の水位L2 (および第2貯水室1Bの水位L1B)に対して、高いレベルに維持されている。
【００４４】
従って、蓋キャップ10Aの弁機構の近傍に空隙が発生することはなく、過剰給水を生じない。よって、加湿ケースよりの漏水を防止できる。
【産業上の利用可能性】
【００４５】
本願発明は、加湿装置付き電気ストーブの使用を促進して、電気ストーブ製造関連産業、産業機械製造業等の産業発展に寄与するものである。
【符号の説明】
【００４６】
Ａ     加湿装置
1      貯水室
1Ａ    第1貯水室
1Ｂ    第２貯水室
２     加湿室
３     加湿フィルター
４     受水溝 (環状溝)
５    第１水路溝
６    第2水路溝
７    連通水路
10       水タンク
12       隔壁